(57)【要約】【課題】筐体内に電子部品用のスペースを設けるとともに、筐体内に表示パネルを隙間なくかつ容易に固定することができる表示装置および電子機器を提供する。【解決手段】情報を表示する表示画面を有する表示パネルと表示パネル両側縁に取り付けられた弾性部品とを有する表示モジュールと、表示モジュールの外形よりも広がり、表示モジュールの外形に合わせた位置に互いに離間して立設し弾性部材に接して互いの間に表示モジュールを保持する複数の保持突起を有する筐体ケースとを備えた。【選択図】        図７
2009014782.tif 000002
【特許請求の範囲】
【請求項１】
情報を表示する表示画面を有する表示パネルと該表示パネル両側縁に取り付けられた弾性部品とを有する表示モジュールと、
前記表示モジュールの外形よりも広がり、表示モジュールの外形に合わせた位置に互いに離間して立設し弾性部材に接して互いの間に表示モジュールを保持する複数の保持突起を有する筐体ケースとを備えたことを特徴とする表示装置。
【請求項２】
前記表示パネルは矩形形状を有するものであり、前記弾性部品は、該表示パネルの矩形の４隅を覆うものであって、前記保持突起は該４隅に対応する位置に設けられたものであることを特徴とする請求項１記載の表示装置。
【請求項３】
前記筐体ケースが、前記保持突起を含み前記表示モジュールの背面を覆う導電性材料からなる第１部材と、該第１部材の周りに広がる非導電性材料からなる第２部材とを有するものであることを特徴とする請求項１または２記載の表示装置。
【請求項４】
前記筐体ケースの、前記第２部材で生成された部分に、電子部品を備えたことを特徴とする請求項１から３のうちいずれか１項記載の表示装置。
【請求項５】
前記保持突起は前記第２部材にネジで固定されたものであり、前記弾性部品は、前記筐体に保持された状態における該ネジに対応する位置に該ネジとの干渉を避ける切欠部を有することを特徴とする請求項１から４のうちいずれか１項記載の表示装置。
【請求項６】
前記表示モジュールは、さらに、前記表示パネル背面に、該表示パネルと同一幅を有し前記表示画面上の表示を制御する表示制御回路が搭載された回路基板を備え、
前記弾性部品は、前記表示パネルと前記回路基板とを一体にした双方の両側縁に取り付けられていることを特徴とする請求項１から５のうちいずれか１項記載の表示装置。
【請求項７】
請求項１から６のうちのいずれか１項記載の表示装置と、表示情報を生成して該表示装置の前記表示モジュールに表示情報を送る情報処理回路とを備えたことを特徴とする電子機器。
【請求項８】
前記情報処置回路を内蔵した演算装置を備え、前記表示装置が該演算装置に開閉自在に連結されていることを特徴とする請求項７記載の電子機器。
【請求項９】
前記表示装置は、前記演算装置に対し開閉自在かつ開状態において該演算装置上面に垂直な回転軸のまわりに回転自在な二軸の連結部材を介在させて前記演算装置に連結されたものであることを特徴とする請求項８記載の電子機器。
【請求項１０】
前記表示画面に、前記演算装置に対し前記表示装置を開いた第１の使用状態では前記回転軸の方向を上下方向として情報を表示する第１の表示モードで情報を表示し、前記表示装置を前記演算装置上に、前記表示画面を外側に向けて重ねた第２の使用状態では、前記回転軸と垂直な方向を上下方向として情報を表示する第２の表示モードで情報を表示する表示切替回路を備えたことを特徴とする請求項９記載の電子機器。
【発明の詳細な説明】
【技術分野】
【０００１】
本発明は、筐体ケース内に表示パネルが収容された表示装置、およびそのような表示装置を備えた電子機器に関する。
【背景技術】
【０００２】
近年、携帯電話機やラップトップ型のパーソナルコンピュータなどのように、情報を表示する表示装置が備えられた携帯型の電子機器が広く用いられてきている。携帯型の電子機器においては、装置の小型化および軽量化が強く要望されており、液晶パネルを用いた薄型の表示装置が広く適用されている。
【０００３】
この液晶パネルは、表示画面や光源や制御回路等が積み重ねられて構成されており、液晶パネルを用いた表示装置では、外観を整えたり、破損を回避する目的のために、液晶パネルが筐体内に収容されていることが一般的である。液晶パネルを筐体内に固定する方法としては、液晶パネルに金属性のリブを設け、そのリブを筐体にネジ留めすることなどが行われている。しかし、携帯型の電子機器は持ち運ばれることが多いため、液晶パネルを筐体にきつくネジ留めしてしまうと、落下したときに破損してしまったり、筐体と液晶パネルとの間の僅かな隙間から水が入り込んでしまう恐れがある。
【０００４】
この点に関し、特許文献１には、筐体の内面にぴったりと合った外形を有する弾性部材で液晶パネルの外周を取り囲み、弾性部材が取り付けられた液晶パネルを筐体内に収容する取り付け構造について記載されている。この特許文献１に記載された取り付け機構によると、液晶パネルを確実に筐体内に固定することができるとともに、液晶パネルの耐衝撃性と防水性とを高めることができる。
【０００５】
ところで、近年、携帯電話機なけではなく、ラップトップ型のパーソナルコンピュータにも、通信機能や撮影機能が搭載されてきている。通信機能や撮影機能が搭載されたパーソナルコンピュータでは、アンテナやカメラなどといった電子部品が表示装置の筐体内に組み込まれ、電子部品で得られた情報を本体に送るための信号線が表示パネルの側方に配置されることが多い。特許文献１に記載された取り付け機構では、表示パネルの側方に信号線を配置するためのスペースを設けることができないため、このような電子機器に適用することが困難であるという問題がある。
【０００６】
耐衝撃性や防水性を維持して、筐体内に信号線配置用のスペースを設ける方法として、大き目の筐体内に弾性部材が取り付けられた表示パネルを配置し、電子部品や信号線を配置した後で表示パネルの側面と筐体との間に部材を嵌め込んで、表示パネルを筐体に固定することも行われている。
【特許文献１】特開平９−１１５３７８号公報
【発明の開示】
【発明が解決しようとする課題】
【０００７】
しかし、表示パネルと筐体との間に部材を嵌め込んで隙間を埋める作業は、大変な手間がかかってしまうという問題がある。また、上述した方法では、アンテナなどといった電子部品を表示パネルよりも先に筐体内に配置する必要があり、製造工程が限定されてしまうという問題もある。
【０００８】
また、このような問題は、パーソナルコンピュータや携帯電話機にのみ生じる問題ではなく、表示パネルが筐体内に収容された表示装置に一般的に生じる問題である。
【０００９】
本発明は、上記事情に鑑み、筐体内に電子部品用のスペースを設けるとともに、筐体内に表示パネルを隙間なくかつ容易に固定することができる表示装置および電子機器を提供することを目的とする。
【課題を解決するための手段】
【００１０】
上記目的を達成する本発明の表示装置は、情報を表示する表示画面を有する表示パネルと表示パネル両側縁に取り付けられた弾性部品とを有する表示モジュールと、
表示モジュールの外形よりも広がり、表示モジュールの外形に合わせた位置に互いに離間して立設し弾性部材に接して互いの間に表示モジュールを保持する複数の保持突起を有する筐体ケースとを備えたことを特徴とする。
【００１１】
本発明の表示装置では、筐体ケースが表示モジュールの外形よりも大きいため、保持突起と筐体ケースとの間には隙間が形成されている。このため、表示モジュールを筐体ケース内の保持突起の間に嵌め込むだけで、筐体ケースと表示モジュールとの間に電子部品などを配置するためのスペースをあけて、筐体ケースに表示モジュールを固定することができる。表示パネルには弾性部品が取り付けられているため、表示装置が落下したときなどに表示パネルにかかる衝撃が抑えられるとともに、表示パネルと筐体ケースとの間に水やホコリが入り込んでしまう不具合を防止することができる。
【００１２】
また、本発明の表示装置において、表示パネルは矩形形状を有するものであり、弾性部品は、表示パネルの矩形の４隅を覆うものであって、保持突起は４隅に対応する位置に設けられたものであることが好ましい。
【００１３】
矩形形状を有する表示パネルの４隅が弾性部材を介して保持突起に嵌め込まれることによって、表示パネルを筐体ケースに確実に固定することができるとともに、表示パネルの耐衝撃性を向上させることができる。
【００１４】
また、本発明の表示装置において、上記筐体ケースが、保持突起を含み表示モジュールの背面を覆う導電性材料からなる第１部材と、第１部材の周りに広がる非導電性材料からなる第２部材とを有するものであることが好ましい。
【００１５】
近年、ラップトップ型のパーソナルコンピュータに通信機能が備えられてきている。ラップトップ型のパーソナルコンピュータは、屋外などに持ち運ばれることが想定されるため、筐体ケースを強度の高い金属などで形成することが好ましい。しかし、導電性材料である金属は電波を通さないため、全面が金属で形成された筐体ケースでは、通信用のアンテナを筐体内に内蔵して隠蔽することができない問題がある。
【００１６】
本発明の表示装置では、表示モジュールの背面は高強度な導電性材料からなる第１部材で覆われ、電波を通す非導電性材料からなる第２部材によって、表示モジュールの側面にスペースが形成されるため、そのスペースにアンテナなどを内蔵することができる。また、第１部材が導電性材料で構成されることによって、電波のシールド効果が得られるという利点もある。
【００１７】
また、本発明の表示装置において、筐体ケースの、第２部材で生成された部分に、電子部品を備えたことが好適である。
【００１８】
この好適な表示装置によると、表示モジュールの脇に電子部品が配置されることとなり、表示装置を薄型化することができる。
【００１９】
また、本発明の表示装置において、上記電子部品が無線通信用のアンテナを含むものであることが好ましい。
【００２０】
第２部材で生成された部分は電波を通すため、その部分に無線通信用のアンテナが配置されることによって、通信を実現することができる。
【００２１】
また、本発明の表示装置において、筐体ケースに保持され表示モジュールを取り巻いて、表示モジュールの縁と筐体ケースとの間を覆う前方ケースをさらに備えたことが好ましい。
【００２２】
筐体ケースとは別に前方ケースが備えられることによって、修理や部品交換のときなどに液晶モジュールを容易に取り出すことができる。
【００２３】
また、本発明の表示装置において、上記保持突起は上記第２部材にネジで固定されたものであり、弾性部品は、筐体に保持された状態におけるネジに対応する位置にネジとの干渉を避ける切欠部を有することが好ましい。
【００２４】
弾性部材の、筐体に保持されたネジに対応する部分に、ネジの干渉を避ける切欠部が設けられることによって、装置の幅の増加を抑えることができる。
【００２５】
また、本発明の表示装置において、上記表示モジュールは、さらに、表示パネル背面に、表示パネルと同一幅を有し表示画面上の表示を制御する表示制御回路が搭載された回路基板を備え、
弾性部品は、表示パネルと回路基板とを一体にした双方の両側縁に取り付けられていることが好ましい。
【００２６】
表示モジュールと回路基板とが弾性部品によって一体的に固定されることによって、表示装置を薄型化することができるとともに、表示装置の組み立てが容易になる。
【００２７】
また、本発明の表示装置において、上記パネルが、表示画面に加えて、表示画面の、情報が表示される表示面の裏面側に、表示面上の接触位置を検出するタッチパネルを備えたものであることが好ましい。
【００２８】
タッチパネルは、タッチペンなどによって接触された位置を確実に検出するために、表示画面と隙間なく重ねられることが好ましい。この好適な表示装置によると、表示画面とタッチパネルとの間にゴミなどが混入してしまう不具合を防止することができる。
【００２９】
上記目的を達成する本発明の電子機器は、上記の表示装置と、表示情報を生成して表示装置の表示モジュールに表示情報を送る情報処理回路とを備えたことが好ましい。
【００３０】
本発明の電子機器によると、筐体内に電子部品用のスペースを設けるとともに、筐体内に表示パネルを隙間なくかつ容易に固定することができる。
【００３１】
また、本発明の電子機器において、情報処置回路を内蔵した演算装置を備え、上記表示装置が演算装置に開閉自在に連結されていることが好ましい。
【００３２】
表示装置と演算装置とが開閉自在に連結された電子機器は、小さく折り畳むことができるため持ち運ばれることが多く、表示パネルの耐衝撃性を高めることができる本発明の構成によって、大きな効果を得ることができる。
【００３３】
また、本発明の電子機器において、上記表示装置は、演算装置に対し開閉自在かつ開状態において演算装置上面に垂直な回転軸のまわりに回転自在な二軸の連結部材を介在させて演算装置に連結されたものであることが好適である。
【００３４】
近年、キーボードなどを使った通常の入力操作に加えて、タッチペンなどで表示画面上を指定することによって指示を入力することができるタブレット型のパーソナルコンピュータが開発されてきている。この好適な電子機器によると、例えば、タブレット機能を利用する場合には、表示装置を演算装置に対して開いて回転させ、さらに表示装置を閉じて演算装置上に重ねて表示画面を外側に向けることができ、操作性を向上させることができる。
【００３５】
また、本発明の電子機器は、上記表示画面に、演算装置に対し表示装置を開いた第１の使用状態では回転軸の方向を上下方向として情報を表示する第１の表示モードで情報を表示し、表示装置を演算装置上に、表示画面を外側に向けて重ねた第２の使用状態では、回転軸と垂直な方向を上下方向として情報を表示する第２の表示モードで情報を表示する表示切替回路を備えたことが好ましい。
【００３６】
タブレット型のパーソナルコンピュータでは、キーボードなどを使った通常の使用状態（第１の使用状態）では、回転軸の方向を上下方向として表示画面を横長の状態で使用し、タブレット機能を使用する場合（第２の使用状態）では、回転軸と垂直な方向を上下方向として表示画面を縦長の状態で使用したいという要望が高い。本発明の電子機器によると、第１の使用状態および第２の使用状態それぞれの用途に合った向きで情報を表示させることができる。
【発明の効果】
【００３７】
本発明によれば、２つの筐体が開閉自在および回転自在に連結された電子機器において、筐体を回転させるときの破損を回避することができる。
【発明を実施するための最良の形態】
【００３８】
以下、図面を参照して本発明の実施の形態を説明する。
【００３９】
図１は、本発明の一実施形態が適用されたパーソナルコンピュータの外観斜視図である。
【００４０】
図１に示すパーソナルコンピュータ１０は、電磁誘導形デジタイザを表示画面３１の裏側に搭載し、スタイラスペンで指示された表示画面３１上の位置を検出することにより指示入力を可能とする入力デバイスを備えている。なお、この入力デバイスとして、デジタイザとスタイラスペンに替えて表示画面３１上に搭載するタッチパネルを採用してもよい。
【００４１】
パーソナルコンピュータ１０は、本体ユニット２０と表示ユニット３０を備えており、これら本体ユニット２０と表示ユニット３０は、表示ユニット３０が本体ユニット２０に対し矢印Ａ−Ａ方向に開閉自在および矢印Ｂ−Ｂ方向（本体ユニット２０に対して垂直な回動軸のまわり）に回動自在となるように、二軸の連結ユニット４０で連結されている。この図１には、表示ユニット３０が本体ユニット２０に対し開いた状態（開状態）にあるパーソナルコンピュータ１０が示されており、この開状態は、本発明にいう第１の使用状態に相当する。また、本体ユニット２０は、本発明にいう演算装置の一例にあたり、表示ユニット３０は、本発明にいう表示装置の一例に相当する。
【００４２】
本体ユニット２０には、キーボード２１、トラックパッド２２、左クリックボタン２３、右クリックボタン２４が備えられており、さらに、表示ユニット３０が開閉、および回転される際の衝突による磨耗を軽減するために、ゴム製の表示ユニット受け３４が設けられている。また、本体ユニット２０の一側面には、ＣＤやＤＶＤ等の光ディスクを搭載して駆動しアクセスする光ディスクドライブ２６の開閉蓋２６ａが備えられており、その開閉蓋２６ａには、それを押すことによってその開閉蓋２６ａが開くイジェクトボタン２６ｂが設けられている。
【００４３】
パーソナルコンピュータ１０の表示ユニット３０は、その前面に表示画面３１が広がっている。表示ユニット３０には、その表示画面３１よりも下方の右端にいくつかの押ボタン３２が設けられており、左端には、指先がなぞられることによって指紋認証を行う指紋センサ３３が備えられている。また、表示ユニット３０は、前方ケース３２Ａおよび後方ケース３２Ｂによって表示画面３１が前後から挟まれており、前方ケース３２Ａと後方ケース３２Ｂとで構成された空間内には、通信を行うためのアンテナ（後述する）などが配置されている。前方ケース３２Ａは、本発明にいう前方ケースの一例にあたり、後方ケース３２Ｂは、本発明にいう筐体ケースの一例に相当する。図１に示す開状態では、表示画面３１上に、表示ユニット３０の回転軸の方向を上下方向として情報が表示される。
【００４４】
図２は、表示ユニット３０を本体ユニット２０上に閉じた状態の電子装置を示す外観斜視図である。
【００４５】
図２では、表示ユニット３０は、表示画面３１（図１参照）を本体ユニット２０に向けて重ねられた状態にある。以下では、これを第１の閉状態と称する。
【００４６】
図１に示す通常状態において、表示ユニット３０が矢印Ａ方向に閉じられると、図２に示すように、表示画面３１が内側に隠蔽されて、表示画面３１に対する裏面が外側に剥き出しになった第１の閉状態となる。この第１の閉状態では、表示画面３１の汚れや破損を回避して、パーソナルコンピュータ１０を持ち運ぶことができる。
【００４７】
図３は、表示ユニットを本体ユニットに対しほぼ９０°回動させた状態を示す外観斜視図である。
【００４８】
表示ユニット３０を、この状態を経由し、さらに表示画面３１がキーボード２１とは反対側を向くように回すことができる。
【００４９】
図４は、表示ユニットが表示画面を上に向けて本体ユニット重ねられた状態を示す外観斜視図である。
【００５０】
表示ユニット３０を、図３に示す姿勢を経由してさらに表示画面３１がキーボード２１とは反対側を向くように回し、その状態で、その表示ユニット３０の、表示画面３１に対する裏面を本体ユニット２０に向けて表示ユニット３０を本体ユニット２０に重ねると、図４に示す第２の閉状態となる。この第２の閉状態は、本発明にいう第２の使用状態の一例にあたる。以下では、第２の閉状態でパーソナルコンピュータ１０を使用する操作モードをタブレットモードと称する。
【００５１】
上述したように、この表示画面３１は、その裏側に電磁誘導形デジタイザを備えて表示画面上の指示位置を検出するペン入力機能付きの表示画面であり、通常は、このタブレットモードにあるパーソナルコンピュータ１０を一方の腕にかかえ、他方の手にペン（図示せず）を持って表示画面を操作するという使用態様が採用される。このタブレットモードにあるパーソナルコンピュータ１０を腕にかかえたときの視線との関係から、図１に示す通常状態と比べ、表示画面３１上の表示画像は９０°その向きが回転している。すなわち、タブレットモードでは、表示画面３１上に、表示ユニット３０の回転軸と垂直な方向を上下方向として情報が表示される。
【００５２】
続いて、パーソナルコンピュータ１０の内部構成について説明する。
【００５３】
図５は、パーソナルコンピュータ１０の内部構成図である。
【００５４】
パーソナルコンピュータ１０には、図５に示すように、各種プログラムを実行するＣＰＵ１０１、ハードディスク装置１０３に格納されたプログラムが読み出されＣＰＵ１０１での実行のために展開される主メモリ１０２、各種プログラムやデータ等が保存されたハードディスク装置１０３、情報表示に関する処理を司る表示機構１０４、図１にも示す指紋センサ３３、キーボード２１やトラックパッド２２などを含む操作子１０６、小型記録媒体２００が装填され、装填された小型記録媒体２００をアクセスする小型記録媒体ドライブ１０８、ＣＤ−ＲＯＭ２１０やＤＶＤが装填され、その装填されたＣＤ−ＲＯＭ２１０やＤＶＤをアクセスするＣＤ／ＤＶＤドライブ１０９、外部装置からデータを入力する入力インタフェース１０５、外部装置へデータを出力する出力インタフェース１１０、電波を送受信するアンテナ４００、およびアンテナ４００を使った無線通信を行う無線インタフェース１１１などが内蔵されており、これらの各種要素は、バス１１１を介して相互に接続されている。尚、表示機構１０４は、図１に示す表示画面３１上に表示する情報の向きなどを制御する表示制御装置１０４１、表示画面３１上に情報を表示する表示装置１０４２、および表示画面３１上の裏側に搭載されスタイラスペンによる指示位置を検出するデジタイザ３３０で構成されている。表示制御装置１０４１は、本発明にいう表示制御部の一例にあたり、アンテナ４００は、本発明にいう電子部品の一例にあたるとともに、本発明にいうアンテナの一例にも相当する。
【００５５】
続いて、表示ユニット３０の内部構成について詳しく説明する。
【００５６】
図６は、図１に示す前方カバー３２Ａを外した状態の表示ユニット３０を示す図である。
【００５７】
図６に示す表示パネル３１０は、図１に示す表示画面３１が表面に形成されており、裏面側にはデジタイザ３３０（図７参照）が配置されている。また、表示パネル３１０には、両側縁に弾性部材３２０が取り付けられている。表示パネル３１０は、本発明にいう表示パネルの一例にあたり、弾性部材３２０は、本発明にいう弾性部材の一例にあたり、表示パネル３１０と弾性部材３２０とを合わせたものは、本発明にいう表示モジュールの一例に相当する。
【００５８】
表示ユニット３０の後方カバー３２Ｂには、弾性部材３２０が取り付けられた状態で表示パネル３１０が収容されており、上方に電波を送受信するアンテナ４００が取り付けられている。また、弾性部材３２０と後方カバー３２Ｂとの間のスペースには、アンテナ４００と、アンテナ４００から延びて連結部材４０を通り、図１に示す本体ユニット２０に接続される電子線４０１が配設されている。
【００５９】
図７は、後方カバー３２Ｂから表示パネル３１０を弾性部材３２０ごと取り外した状態を示す図である。
【００６０】
表示パネル３１０の、図１に示す表示画面３１が形成された表面に対する裏面側にはデジタイザ３３０が接着されており、デジタイザ３３０で検出された情報を本体ユニット２０に伝える伝達回路５１０も備えられている。
【００６１】
ここで、後方カバー３２Ｂは、表示パネル３１０の裏面を覆うパネル部分６０２は金属で構成されているのに対し、アンテナ４００や、図６において電子線４０１が配設されるアンテナ部分６０１は、プラスチックで構成されている。パネル部分６０２は、本発明にいう第１部材の一例にあたり、アンテナ部分６０１は、本発明にいう第２部材の一例に相当する。パネル部分６０２を金属で構成することによって、後方カバー３２Ｂの強度を高めて表示パネル３１０の耐衝撃性を向上させることができ、アンテナ部分６０１は非導電性材料であるプラスチックで構成することによって、アンテナ４００で確実に電波を送受信することができ、無線通信を実行することができる。
【００６２】
また、パネル部分６０２の、表示パネル３１０と弾性部材３２０との一体物の４隅に対応する位置に、各角の形状に合わせたＬ字突起４１０が形成されており、さらに、パネル部分６０２の、表示パネル３１０と弾性部材３２０との一体物の両脇に対応する位置に、その位置における弾性部材３２０の外形に合わせた補助突起４２０が形成されている。Ｌ字突起４１０および補助突起４２０は、本発明にいう保持突起の一例に相当する。このＬ字突起４１０および補助突起４２０はアンテナ部分６０１等にネジ６０３にて固定される。
【００６３】
図８は、Ｌ字突起４１０の拡大図であり、図９は、補助突起４２０の拡大図である。
【００６４】
図８および図９に示すように、Ｌ字突起４１０や補助突起４２０は、後方カバー３２Ｂの内壁から距離をあけて形成されている。これらＬ字突起４１０や補助突起４２０よりも内側の空間に弾性部材３２０が取り付けられた表示パネル３１０が嵌め込まれることとなる。
【００６５】
図１０は、表示パネル３１０に弾性部材３２０を取り付ける過程を示す図であり、図１１は、表示パネル３１０に弾性部材３２０が取り付けられた状態を示す図である。
【００６６】
図１０には、表示パネル３１０の裏面側が示されており、表示パネル３１０の、図１０の右側の縁にのみ弾性部材３２０が取り付けられている。表示パネル３１０の裏面側にはデジタイザ３３０が貼り付けられており、さらに、図１１にも示す伝達回路基板５１０と、表示パネル３１０の表面側に備えられた表示画面３１（図１参照）に表示される情報を制御する制御回路基板５２０とが折り重ねられている。この制御回路基板５２０は、図５に示す表示制御装置１０４１の一部を構成している。伝達回路基板５１０および制御回路基板５２０は、本発明にいう回路基板の一例に相当する。
【００６７】
図１１に示すように、弾性部材３２０は、表示パネル３１０と制御回路基板５２０とを一体的に挟んでおり、制御回路基板５２０が表示パネル３１０に密着して固定される。このため、パーソナルコンピュータ１０を薄型化することができるとともに、パーソナルコンピュータ１０の組み立てが容易になる。また、弾性部材３２０によって、デジタイザ３３０も表示パネル３１０の表示画面３１と密着されるため、デジタイザ３３０の感度を高めることができるとともに、表示画面３１とデジタイザ３３０との間にゴミなどが混入してしまう不具合を防止することができる。
【００６８】
このように、表示パネル３１０、伝達回路基板５１０、制御回路基板５２０が弾性部材３２０によって挟み込まれて、図８および図９に示すＬ字突起４１０や補助突起４２０よりも内側の空間に嵌め込まれる。
【００６９】
図１２は、弾性部材３２０が取り付けられた表示パネル３１０が嵌め込まれた状態におけるＬ字突起４１０付近の拡大図であり、図１３は、弾性部材３２０が取り付けられた表示パネル３１０が嵌め込まれた状態における補助突起４２０付近の拡大図である。
【００７０】
表示パネル３１０に取り付けられた弾性部材３２０は、Ｌ字突起４１０および補助突起４２０によって位置が規制され、後方カバー３２Ｂに固定されている。Ｌ字突起４１０および補助突起４２０は、後方カバー３２Ｂの内壁から距離をあけた位置に設けられているため、弾性部材３２０が取り付けられた表示パネル３１０を嵌め込むだけで、図６に示すアンテナ４００や電子線４０１を配設するスペースが形成される。このように、本実施形態によると、後方カバー３２Ｂに表示パネル３１０を隙間なくかつ容易に固定することができ、パーソナルコンピュータ１０を組み立てる際の手間を軽減することができる。
【００７１】
また、弾性部材３２０は、図７に示すアンテナ部分６０１とパネル部分６０２とを連結しているネジ６０３に対応する位置に、ネジ６０３を避ける切欠３２１が設けられている。切欠３２１は、本発明にいう切欠部の一例に相当する。このように、弾性部材３２０の、ネジ６０３に対応する部分に切欠を設けておくことによって、パーソナルコンピュータ１０の幅の増加を抑えることができる。
【００７２】
ここで、上記では、本発明の電子機器をタブレット型のパーソナルコンピュータに適用する例について説明したが、本発明の電子機器は、タブレット機能を有していないパーソナルコンピュータであってもよく、電子手帳などに適用してもよい。
【００７３】
また、上記では、表示パネルの左右の両側縁にのみ弾性部材を取り付ける例について説明したが、本発明の電子機器は、表示パネルの全ての縁に弾性部材を取り付けるものであってもよい。
【００７４】
以下、本発明の各種形態について付記する。
【００７５】
（付記１）
情報を表示する表示画面を有する表示パネルと該表示パネル両側縁に取り付けられた弾性部品とを有する表示モジュールと、
前記表示モジュールの外形よりも広がり、表示モジュールの外形に合わせた位置に互いに離間して立設し弾性部材に接して互いの間に表示モジュールを保持する複数の保持突起を有する筐体ケースとを備えたことを特徴とする表示装置。
【００７６】
（付記２）
前記表示パネルは矩形形状を有するものであり、前記弾性部品は、該表示パネルの矩形の４隅を覆うものであって、前記保持突起は該４隅に対応する位置に設けられたものであることを特徴とする付記１記載の表示装置。
【００７７】
（付記３）
前記筐体ケースが、前記保持突起を含み前記表示モジュールの背面を覆う導電性材料からなる第１部材と、該第１部材の周りに広がる非導電性材料からなる第２部材とを有するものであることを特徴とする付記１または２記載の表示装置。
【００７８】
（付記４）
前記筐体ケースの、前記第２部材で生成された部分に、電子部品を備えたことを特徴とする付記１から３のうちいずれか１項記載の表示装置。
【００７９】
（付記５）
前記電子部品が無線アンテナを含むものであることを特徴とする付記４記載の表示装置。
【００８０】
（付記６）
前記筐体ケースに保持され表示モジュールを取り巻いて、該表示モジュールの縁と該筐体ケースとの間を覆う前方ケースをさらに備えたことを特徴とする付記１から５のうちいずれか１項記載の表示装置。
【００８１】
（付記７）
前記保持突起は前記第２部材にネジで固定されたものであり、前記弾性部材は、前記筐体に保持された状態における該ネジに対応する位置に該ネジとの干渉を避ける切欠部を有することを特徴とする付記１から６のうちいずれか１項記載の表示装置。
【００８２】
（付記８）
前記表示モジュールは、さらに、前記表示パネル背面に、該表示パネルと同一幅を有し前記表示画面上の表示を制御する表示制御回路が搭載された回路基板を備え、
前記弾性部品は、前記表示パネルと前記回路基板とを一体にした双方の両側縁に取り付けられていることを特徴とする付記１から７のうちいずれか１項記載の表示装置。
【００８３】
（付記９）
前記表示パネルが、前記表示画面に加えて、該表示画面の、情報が表示される表示面の裏面側に、該表示面上の指示位置を検出する入力デバイスを備えたものであることを特徴とする付記１から８のうちいずれか１項記載の表示装置。
【００８４】
（付記１０）
付記１から９のうちのいずれか１項記載の表示装置と、表示情報を生成して該表示装置の前記表示モジュールに表示情報を送る情報処理回路とを備えたことを特徴とする電子機器。
【００８５】
（付記１１）
前記情報処置回路を内蔵した演算装置を備え、前記表示装置が該演算装置に開閉自在に連結されていることを特徴とする付記１０記載の電子機器。
【００８６】
（付記１２）
前記表示装置は、前記演算装置に対し開閉自在かつ開状態において該演算装置上面に垂直な回転軸のまわりに回転自在な二軸の連結部材を介在させて前記演算装置に連結されたものであることを特徴とする付記１１記載の電子機器。
【００８７】
（付記１３）
前記表示画面に、前記演算装置に対し前記表示装置を開いた第１の使用状態では前記回転軸の方向を上下方向として情報を表示する第１の表示モードで情報を表示し、前記表示装置を前記演算装置上に、前記表示画面を外側に向けて重ねた第２の使用状態では、前記回転軸と垂直な方向を上下方向として情報を表示する第２の表示モードで情報を表示する表示切替回路を備えたことを特徴とする付記１２記載の電子機器。
【図面の簡単な説明】
【００８８】
【図１】本発明の一実施形態が適用されたパーソナルコンピュータの外観斜視図である。
【図２】表示ユニットを本体ユニット上に閉じた状態の電子装置を示す外観斜視図である。
【図３】表示ユニットを本体ユニットに対しほぼ９０°回動させた状態を示す外観斜視図である。
【図４】表示ユニットが表示画面を上に向けて本体ユニット重ねられた状態を示す外観斜視図である。
【図５】パーソナルコンピュータの内部構成図である。
【図６】図１に示す前方カバー３２Ａを外した状態の表示ユニット３０を示す図である。
【図７】後方カバー３２Ｂから表示パネル３１０を弾性部材３２０ごと取り外した状態を示す図である。
【図８】Ｌ字突起４１０の拡大図である。
【図９】補助突起の拡大図である。
【図１０】表示パネルに弾性部材を取り付ける過程を示す図である。
【図１１】表示パネルに弾性部材が取り付けられた状態を示す図である。
【図１２】弾性部材が取り付けられた表示パネルが嵌め込まれた状態におけるＬ字突起付近の拡大図である。
【図１３】弾性部材が取り付けられた表示パネルが嵌め込まれた状態における補助突起付近の拡大図である。
【符号の説明】
【００８９】
１０    パーソナルコンピュータ
２０    本体ユニット
３０    表示ユニット
２１    キーボード
２２    トラックパッド
２３    左クリックボタン
２４    右クリックボタン
３１    表示画面
３２    押ボタン
１０１    ＣＰＵ
１０２    主メモリ
１０３    ハードディスク装置
１０４    表示機構
１０５    入力インタフェース
１０６    操作子
１０８    小型記録媒体ドライブ
１０９    ＣＤ／ＤＶＤドライブ
１１０    出力インタフェース
１１１    バス
２００    小型記録媒体
２１０    ＣＤ−ＲＯＭ
【図１】
2009014782.tif 000003
【図２】
2009014782.tif 000004
【図３】
2009014782.tif 000005
【図４】
2009014782.tif 000006
【図５】
2009014782.tif 000007
【図６】
2009014782.tif 000008
【図７】
2009014782.tif 000009
【図８】
2009014782.tif 000010
【図９】
2009014782.tif 000011
【図１０】
2009014782.tif 000012
【図１１】
2009014782.tif 000013
【図１２】
2009014782.tif 000014
【図１３】
2009014782.tif 000015